(57)【要約】  【課題】ベルト式無段変速装置のカバーの組み立て性を向上させる。  【解決手段】ベルト式無段変速装置のケースは、エンジンのクランクケースの一部である伝動ケース４０と、伝動ケースカバー４０１、および伝動ケースカバー０４０１の前方（車体前方寄り）に組み付けられるアクチュエータカバー５８とを有する。アクチュエータカバー５８は伝動ケースカバー４０１と別体で形成され、駆動プーリの可動部分を駆動するモータ５７を支持し、歯車装置６０をカバーする。アクチュエータカバー５８はウォータポンプ１１３のカバーと一体化される。  【選択図】図４
2005106221.tif 000002
【特許請求の範囲】
【請求項１】
エンジンで駆動される駆動プーリとＶベルトを介して該駆動プーリに従動する従動プーリとを有し、
前記各プーリが、それぞれの支持軸に対して固定された固定部分と前記支持軸に対してその軸方向に摺動自在に設けられた可動部分とからそれぞれなり、
前記駆動プーリの可動部分をモータで前記軸方向に変位させて固定部分および可動部分の間隔を変化させ、その変化に応じて従動プーリの可動部分を摺動させることによって駆動プーリに対する従動プーリの回転数を変化させるベルト式無段変速装置において、
前記モータの動力を前記駆動プーリの可動部分に伝達する歯車装置と、
前記駆動プーリ、従動プーリおよび前記歯車装置を収容する伝動ケースと、
前記伝動ケースに結合されて前記駆動プーリおよび従動プーリを覆う伝動ケースカバーと、
前記伝動ケースに結合されて前記歯車装置を覆うアクチュエータカバーとを備え、
前記アクチュエータカバーに前記モータが支持されていることを特徴とするＶベルト式無段変速装置。
【請求項２】
前記アクチュエータカバーと前記伝動ケースとで前記エンジンに水を循環させるウォータポンプの壁面を構成していることを特徴とする請求項１記載のＶベルト式無段変速装置。
【請求項３】
車両の前方に向けて突出されたシリンダを有するエンジンに使用されるＶベルト式無段変速装置であって、
前記歯車装置およびモータが、前記駆動プーリに対して前記シリンダの突出方向側に設けられていることを特徴とする請求項１または２記載のＶベルト式無段変速装置。
【発明の詳細な説明】
【技術分野】
【０００１】
本発明は、ベルト式無段変速装置に関し、特に、電動式アクチュエータで変速比を制御することができるベルト式無段変速装置に関する。
【背景技術】
【０００２】
エンジン等の原動機に連結した駆動プーリと、負荷に連結した従動プーリとの間にＶベルトを掛け渡し、駆動プーリと従動プーリとに対するＶベルトの巻き掛け径を連続的に変えて、変速比を制御するＶベルト式無段変速機が知られる。Ｖベルトの巻き掛け径を変化させるため、駆動プーリと従動プーリをそれぞれ構成する固定プーリ部分および可動プーリ部分のうち、可動プーリ部分をその支持軸方向に変位させ、両プーリ部分同士の間隔を変化させて巻き掛け径を変化させている。
【０００３】
例えば、可動プーリ部分をモータで駆動するようにした無段変速装置が特開平５−４４８２７号公報に記載されている。この無段変速装置では、駆動プーリの可動プーリ部分を、軸受を介してスライダに結合し、さらに歯車を介してこのスライダをモータに連結している。
【０００４】
変速比の制御はエンジンの回転数やスロットル開度等から、このエンジンの運転状態を検出して行われる。変速比が適当な値になっているかどうかを可動プーリ部分の位置として検出し、検出した可動プーリ部分の位置に基づいてモータをフィードバック制御する。
【特許文献１】特開平５−４４８２７号公報
【発明の開示】
【発明が解決しようとする課題】
【０００５】
上記無段変速装置は、エンジンのクランクケースと一体に形成され、クランク室との隔壁を形成する伝動ケースと、この伝動ケースを覆う伝動ケースカバーと、伝動ケースカバーをさらに覆う外部カバーとからなる。外部カバーは冷却用の空気流通孔などを塞ぎ、外観意匠を重視して構成されるので、実質的に変速装置は伝動ケースと伝動ケースカバーによって保護されている。したがって、上述のようにスライダを歯車装置を介してモータに連結し、このモータでスライダを移動させて変速比を制御する変速装置では、これらを伝動ケースカバーで覆う構成になる。
【０００６】
しかし、歯車装置やモータを覆うように伝動ケースカバーを構成するためには、複雑な形状を一体的に形成しなければならない。そのために、製造のための型が複雑にならざるを得ないし、伝動ケースとの組み付けも容易ではない。
【０００７】
本発明は、上記従来技術の問題点に鑑み、変速比調整のためのモータや歯車装置を設ける際に、伝動ケースの形状を単純化し、かつモータや歯車装置のカバーも簡単にすることができるＶベルト式無段変速装置を提供することを目的とする。
【課題を解決するための手段】
【０００８】
本発明は、エンジンで駆動される駆動プーリとＶベルトを介して該駆動プーリに従動する従動プーリとを有し、前記各プーリが、それぞれの支持軸に対して固定された固定部分と前記支持軸に対してその軸方向に摺動自在に設けられた可動部分とからそれぞれなり、前記駆動プーリの可動部分をモータで前記軸方向に変位させて固定部分および可動部分の間隔を変化させ、その変化に応じて従動プーリの可動部分を摺動させることによって駆動プーリに対する従動プーリの回転数を変化させるベルト式無段変速装置において、前記モータの動力を前記駆動プーリの可動部分に伝達する歯車装置と、前記駆動プーリ、従動プーリおよび前記歯車装置を収容する伝動ケースと、前記伝動ケースに結合されて前記駆動プーリおよび従動プーリを覆う伝動ケースカバーと、前記伝動ケースに結合されて前記歯車装置を覆うアクチュエータカバーとを備え、前記アクチュエータカバーに前記モータが支持されている点に第１の特徴がある。
【０００９】
また、本発明は、前記アクチュエータカバーと前記伝動ケースとで前記エンジンに水を循環させるウォータポンプの壁面を構成している点に第２の特徴がある。
【００１０】
さらに、本発明は、車両の前方に向けて突出されたシリンダを有するエンジンに使用されるＶベルト式無段変速装置であって、前記歯車装置およびモータが、前記駆動プーリに対して前記シリンダの突出方向側に設けられている点に第３の特徴がある。
【発明の効果】
【００１１】
上記特徴を有する本発明によれば、変速装置の駆動プーリの駆動部分を駆動するモータと歯車装置を覆うアクチュエータカバーが、変速装置本体であるベルト装置を覆う伝動ケースカバーとは別体で形成されている。したがって、これらのカバーを製造する際の型の製作が容易になるし、これらカバーを伝動ケースに組み立てたり分解したりする際の作業性も良好である。
【００１２】
第２の特徴によれば、ウォータポンプをも同時にカバーできるので、メンテナンスが容易である。
【００１３】
第３の特徴によれば、シリンダが突出したエンジンにおいて、その突出部分に隣接するようにモータや歯車装置をレイアウトできる。つまり余分な突出部分を発生させることなく、変速装置のアクチュエータ手段をレイアウトできる。
【発明を実施するための最良の形態】
【００１４】
以下、図面を参照して本発明の一実施形態を説明する。図３は、本発明の一実施形態に係る無段変速機を含むスクータ型自動二輪車の外観側面図である。同図において、スクータ型自動二輪車１の車体前部２と車体後部３とは低いフロア部４を介して連結されており、車体の骨格は、ダウンチューブ６およびダウンチューブ６から後上方に延びるメインチューブ７によって構成されている。メインチューブ７の上方にはシート８が配置される。シート８とメインチューブ７との間にはヘルメットなどの収納ボックスと燃料タンクが設けられる（いずれも図示せず）。シート８は収納ボックスの蓋を兼ねる。
【００１５】
前記ダウンチューブ６の前端は車体前部２に設けられるヘッドパイプ５に接合される。ヘッドパイプ５には、フロントフォーク１２が回動自在に軸支される。フロントフォーク１２の上方延長部分にはハンドル１１が取り付けられ、フロントフォーク１２の下端には前輪１３が軸支される。ハンドル１１の上部は計器板を兼ねたハンドルカバー３３で覆われる。
【００１６】
メインチューブ７の立ち上がり部下端にはブラケット１５が設けられ、ブラケット１５には、リンク部材１６を介してハンガブラケット１８が連結され、スイングユニット１７が揺動自在に支持されている。スイングユニット１７の後部とメインチューブ７の後部とは緩衝部材を有するリヤサスペンション２２で連結される。スイングユニット１７の前部には、単気筒４サイクルエンジン２００が搭載される。エンジン２００の後方には、Ｖベルト式無段変速機３５および減速機３８が設けられる。減速機３８の出力軸（後述）には後輪２１が結合される。すなわち、エンジン２００の出力は無段変速機３５および減速機３８を介して後輪２１に伝達される。
【００１７】
スイングユニット１７の前部には、エンジン２００のシリンダヘッド３２から延出した吸気管２３が接続される。吸気管２３には気化器２４および気化器２４に連結されたエアクリーナ２５が配設される。スイングユニット１７のクランクケース３１に設けられたハンガブラケット１８には、駐車用のメインスタンド２６が支持される。変速機３５の外部カバー３６から突出したキック軸２７にはキックアーム２８が固定され、キックアーム２８の先端にはキックペダル２９が設けられる。
【００１８】
図１は、無段変速機の前部断面図、図２は同後部断面図である。図１および図２において、無段変速機は、エンジン２００のクランクケース３１の一部である伝動ケース４０と、伝動ケース４０を車両の左側面から覆う伝動ケースカバー４０１と、伝動ケースカバー４０１をさらに覆う外部カバー３６と、伝動ケースカバー４０１の前部（車両の走行方向前部）に組み付けられて変速機駆動用のアクチュエータとしてのモータ５７および歯車装置６０を覆うアクチュエータカバー５８とで、外形を形成する。
【００１９】
図１において、エンジン２００のクランク軸４１は、伝動ケース４０に設けられた軸受４２および図示しないもう一つの軸受によって支持される。伝動ケース４０から外側に突出したクランク軸４１の部分４３は駆動プーリ４５の支持軸であり無段変速機の駆動軸である。
【００２０】
駆動軸４３の外周にはガイドパイプ４４が装着される。駆動プーリ４５は、駆動軸４３の軸端に設けられた固定プーリ部分４５１と、駆動軸４３の軸方向に移動自在な可動プーリ部分４５２とからなる。駆動プーリ４５には、後述する従動プーリに架け渡されるＶベルト１００が掛けられている。固定プーリ部分４５１は駆動軸４３の軸端に設けられたねじ部に螺着されたナット４６で駆動軸４３に固定される。可動プーリ部分４５２のハブ４５３は、可動プーリ部分４５２が駆動軸方向で移動できるようにするため、ガイドパイプ４４の外周に摺動自在に嵌合される。
【００２１】
可動プーリ部分４５２のハブ４５３には、駆動軸４３の軸方向に長い長孔つまりガイド孔４７が形成されている。ガイドパイプ４４の外周にはガイドピン４８が立設され、このガイドピン４７の頭部４８１がガイド孔４７内に突出している。ガイドピン４８の頭部には、少なくともガイド孔４７の内面に対向する部分を覆うように表面の摩擦係数が小さいフッ素樹脂などのカラー４９が設けられる。好ましくは、図示のようにガイドパイプ４４の外周に対向する部分も覆うようにするのがよい。これにより、ハブ４５３が固定された可動プーリ部分４５２は、ガイドピン４８によってガイドパイプ４４つまり駆動軸４３に対する回転方向の変位が規制され、駆動軸４３に対して軸方向にのみ移動可能である。ガイドピン４８はカラー４９を介してハブ４５３のガイド孔４７と摺動するので、可動プーリ部分４５２の動きは滑らかで、摺動音の発生も抑制される。
【００２２】
可動プーリ部分４５２のハブ４５３の外周には軸受保持リング５０が嵌合され、この保持リング５０の外周には軸受５１の内輪が嵌合される。軸受５１の外輪にはスライダ保持リング５２が嵌合され、さらにこの保持リング５２にはスライダ５３が嵌合される。スライダ５３は円筒状であり、外側には歯車５３１が形成され、内側には内周に雌ねじ（スクリューねじ）が形成された送りリング５４が嵌挿されている。送りリング５４の雌ねじは、筒体５５の外周に形成された雄ねじ（スクリューねじ）と螺合する。筒体５５はその外周に溶接されたフランジ部を介してボルト５６で伝動ケース４０に固定される。
【００２３】
次に、前記スライダ５３の歯車５３１に動力を伝達する駆動部を説明する。スライダ５３の歯車５３１を駆動する駆動部は歯車装置６０とモータ５７とを有する。モータ５７は、ベースプレート５７１とハウジング５７２とを備え、ベースプレート５７１は伝動ケース４０のアクチュエータカバー５８に嵌挿されて固定される。モータ軸５９の先端には、出力歯車５９１が形成される。
【００２４】
歯車装置６０は、共通する軸６１に固定された第１段歯車６２，６３と、他の共通する軸６４に固定された第２段歯車６５，６６とを備える。歯車装置６０の各歯車は動作音を低減するために樹脂製にするのがよい。第１段歯車の軸６１は伝動ケース４０に設けられた軸受６７とアクチュエータカバー５８に設けられた軸受６８とで支持される。一方、第２段歯車の軸６４は伝動ケース４０に設けられた軸受６９とアクチュエータカバー５８に設けられた軸受７０とで支持される。第１段歯車のうち大歯車６２は出力歯車５９１に噛み合い、小歯車６３は、第２段歯車のうち大歯車６５に噛み合う。そして、第２歯車のうち小歯車６６は前記スライダ５３の歯車５３１に噛み合う。
【００２５】
第２段歯車の軸６４の、軸受７０を貫通した延長部には歯車６４１が形成される。歯車６４１はウォーム歯車であり、このウォーム歯車６４１は、回転センサとしての回転型可変抵抗器もしくは回転型ポテンショメータに連結されるウォームホイール（回転センサとウォームホイールは後述する）に噛み合う。こうして、軸６４は、回転センサに歯車装置６０の回転量を伝達するセンサ出力軸としての機能を備える。
【００２６】
伝動ケース４０には、前記スライダ５３に形成された歯車５３１の外周を囲うようにリブ４０２が形成され。リブ４０２の端部には、ボルト７１によって規制プレート７２が取り付けられる。規制プレート７２によって、スライダ５３の駆動プーリ４５側への移動限界が規定される。通常は、スライダ５３の歯車５３１は、規制プレート７２に当接しない範囲で移動する。
【００２７】
上記構成により、モータ５７の回転は出力歯車５９１、第１段歯車６２，６３、並びに第２段歯車６５，６６を順に経てスライダ５３の歯車５３１に伝わり、スライダ５３を回転する。スライダ５３が回転されると、送りリング５４が筒体５５の周りで回転し、その結果、スライダ５３は相対的にクランク軸４１の軸方向にねじ送りされる。ねじの作用によるスライダ５３の変位方向は送りリング５４および筒体５５の雌ねじおよび雄ねじの方向による。
【００２８】
スライダ５３が駆動軸４３に沿って変位すると、その動きは軸受５１を介して可動プーリ部分４５２に伝わり、可動プーリ部分４５２と固定プーリ部分４５１との間隔が変化する。固定プーリ部分４５１と可動プーリ部分４５２との間隔が広くなると、後述の従動プーリの動きと相まってＶベルト１００は駆動プーリ４５に対する巻き掛け径が小さくなるように動作する。一方、固定プーリ部分４５１および可動プーリ部分４５２両者の間隔が狭まる方向の力は、Ｖベルト１００を駆動プーリ４５の外周方向に押し広げる分力を作用させ、後述する従動プーリの動きと相まってＶベルト１００の巻き掛け径を大きくする。
【００２９】
スライダ５３の位置はこの変速機の変速比を代表する。したがって、前記ウォーム歯車６４１の回転位置を検出する回転センサで、スライダ５３の位置を検出し、その検出結果を変速比の制御にフィードバックすることができる。
【００３０】
次に、無段変速機の後部構成を説明する。図２において、従動プーリ７３は、固定プーリ部分７３１と可動プーリ部分７３２とからなる。従動プーリ７３を支持する従動軸（従動プーリの支持軸）７４は軸受７５，７６で支持される。従動軸７４の一方側つまり図２上で軸受７５より左側部分の端部には、軸受７７が嵌挿され、さらに軸受７７より先端側にはカラー７８が被せられる。カラー７８には、椀状のクラッチ板７９が溶接されている。従動軸７４のこの端部にはねじが形成されていて、そのねじにナット８０が螺着され、カラー７８およびクラッチ板７９は軸受７７の内輪を介して従動軸７４に固定される。従動軸７４の中間部外周には、軸受８１が設けられ、この軸受８１および前記軸受７７によって固定プーリ部分７３１のハブ８２が従動軸７４に関してその外周に装着される。
【００３１】
さらに、固定プーリ部分７３１のハブ８２の外周には可動プーリ部分７３２のハブ８３が設けられる。可動プーリ部分７３２は固定プーリ部分７３１に対して、従動軸７４の長手方向に摺動自在である。ハブ８２にはガイドピン８４が立設される。ハブ８３に設けられたガイド孔８３１はガイドピン８４の頭部に係合し、これによってハブ８３に対する可動プーリ部分７３２の回転が規制される。
【００３２】
固定プーリ部分７３１のハブ８２の端部には、クラッチシューの支持プレート８５がナット８６で固定される。支持プレート８５には、クラッチシュー８７が設けられる。クラッチシュー８７は、支持プレート８５に立設された枢軸８８で軸支されるボス８９を有するアーム９０に固着される。アーム９０はクラッシュー８７がクラッチ板７９の内面から離れる方向にばね９１で付勢されている。さらに、可動プーリ部分７３２と支持プレート８５との間には、可動プーリ部分７３２を固定プーリ部分７３１側に付勢するコイルばね９２が介挿されている。
【００３３】
無段変速機の後部には、減速機３８が設けられる。減速機３８は、従動軸７４の他端つまり図２上で軸受７５と７６との間に設けられた入力歯車９４と中間歯車９５，９６、および最終段歯車９７を有する。入力歯車９４は中間歯車の大歯車９５に噛み合い、中間歯車の小歯車９６は最終段歯車９７と噛み合う。中間歯車９５，９６の軸は軸受９８，９９で支持され、最終段歯車９７の軸つまり出力軸１０１は軸受１０２，１０３で支持される。軸受７６，９８，１０３は、前記リブ４０２に続く後部ケーシング４０３に嵌挿されていて、軸受７５，９９，１０２は、ケーシング４０３に固定される減速機カバー１０４に嵌挿されている。
【００３４】
固定プーリ部分７３１のハブ８２の側面には、センサプレート１０５が設けられ、このセンサプレート１０５の外周に対向して磁気センサ１０６が設けられる。センサプレート１０５は鉄であり、この鉄製のセンサプレート１０５は、外周に突出もしくは凹んだ部分を一ないしは複数有する。したがって、この形状変化部分で磁気センサ１０６の出力が変化し、この変化の状態、例えば、出力変化の間隔によって、従動プーリ７３の回転数を検出することができる。磁気センサ１０６は、減速機カバー１０４に固定される。
【００３５】
上記構成において、前記駆動プーリ４５側でＶベルトの巻き掛け径が拡張すると、Ｖベルト１００の張力は増し、その張力の増大により、従動プーリ７３の可動プーリ部分７３２と固定プーリ部分７３１との間を押し広げる力が作用する。その結果、従動側ではＶベルト１００の巻き掛け径が小さくなる。つまり減速比が小さくなる。一方、前記駆動プーリ４５側でＶベルトの巻き掛け径が縮小すると、Ｖベルト１００の張力は低減し、その張力の低減により、コイルばね９２の付勢力がＶベルト１００にかかる張力の分力を上回ると、従動プーリ７３の可動プーリ部分７３２と固定プーリ部分７３１との間を縮小する力が生じる。その結果、従動側ではＶベルト１００の巻き掛け径が大きくなる。つまり減速比が大きくなる。
【００３６】
従動プーリ７３の回転が所定の値になると、遠心力の増大によりクラッチシュー８７がクラッチ板７９に当接する。そうすると、クラッチ板７９が結合されている従動軸７４が回転し、入力歯車９４、中間歯車９５，９６、および最終段歯車９７を介して出力軸１０１が回転する。出力軸１０１の回転は後輪２１に伝達され、自動二輪車は走行できる。
【００３７】
図４は、伝動ケース４０とアクチュエータカバー５８とを車体左側面から見た図である。同図において、伝動ケース４０とアクチュエータカバー５８とは、会合部ＩＦにおいて会合する。会合部ＩＦには、この会合部ＩＦを液密にするシール（後述する）が設けられる。会合部ＩＦは後で詳述するように、この図の紙面に平行な面と垂直な面で形成される。伝動ケース４０とアクチュエータカバー５８とのそれぞれの部分Ｆ，Ｆ１は共面に形成され、この部分つまり共通面上に伝動ケースカバー４０１が取り付けられる。
【００３８】
図５は、アクチュエータカバー５８の正面図であり、図６は図５のＡ−Ａ断面図である。アクチュエータカバー５８は、上述のようにモータ５７から軸６４までの減速系統の構成部品を覆うとともに、エンジン冷却水を循環させるウォータポンプのカバーを兼ねる。図５において、アクチュエータカバー５８に嵌挿された軸受７０で支持されるウォーム歯車６４１と噛み合うウォームホイール１１０およびその軸１１１を収容し、軸１１１を支持するための筒状突出部５８１が形成される。軸１１１には、ウォームホイール１１０の回転位置を検出する回転センサ１１２が結合される。回転センサ１１２の検出出力は、図示しない制御装置に供給され、この検出出力に基づき、ウォームホイール１１０と連動する各歯車６４１、６５，６６，５３１を介して可動プーリ部分４５２の位置が検出される。
【００３９】
また、アクチュエータカバー５８は、前記モータ５７のベースプレート５７１を保持するためのボス５８２，５８３と、モータ５７１のベースプレート５７１をのハブを受け入れるボス孔５８４に隣接して設けられた座５８５，５８６とを有する。
【００４０】
さらに、アクチュエータカバー５８は、図６から良く理解できるように、伝動ケース４０の一部と組み合わさってウォータポンプ１１３の外壁を形成する。この外壁で囲まれた空間には、インペラ１１４と軸１１５とが収容される。軸１１５は、図示しない伝動装置によってエンジンと連結され、エンジンの回転によって回転駆動される。口金１１６は、サーモスタットを介してラジエータから循環される冷却水の入口であり、口金１１７は、ラジエータを介さないで循環される冷却水の入口である。エンジン始動時ないしは冷却水温が低い時は、口金１１７から水を導入され、冷却水温が所定値以上となれば、口金１１６からラジエータを介して、温度低下された水が導入される。
【００４１】
図７は、伝動ケース４０とアクチュエータカバー５８との間に配置されるシールの平面図、図８はシールの要部側面図、図９はシールの端部拡大図である。シール１２０はウォータポンプ１１３を液密に封止するための環状部１２１と環状部１２１から一方に延びる長尺部１２２と他方に延びる長尺部１２３とを有する。このシール１２０は、伝動ケース４０とアクチュエータカバー５８とが会合する二次元面を液密に維持するため、図の紙面とほぼ直交する方向に屈曲できるように形成されている。つまり、係止用突起１２４，１２５から端部側に延びている部分１２７，１２８と両突起１２４，１２５間の部分１２２とは形状が異なる。つまり、部分１２２は、後述の溝に嵌合されるように断面形状が円形であるのに対して、係止用突起１２４，１２５から端部側の部分１２７，１２８は、アクチュエータカバー５８の端面を包み込むことができるような立体的形状を有している（図８，図９参照）。
【００４２】
つまり、シール１２０の端部はアクチュエータカバー５８の端部を覆うように一面が開放された箱状部１２８と、この箱上部１２８と突起１２４とを結合する部分１２９とを備える。箱状部１２８の先端には、アクチュエータカバー５８の端面に巻き込まれるフック部１２８ａを備える。
【００４３】
図１０は、アクチュエータカバーの背面図つまり伝動ケース４０側から見た図であり、図１１は、図１０のＢ−Ｂ断面図である。図１０において、アクチュエータカバー５８のほぼ外部輪郭に沿ってシール１２０を嵌め込むためのシール溝１３０が形成されている。シール溝１３０はシール１２０の環状部１２１を嵌め込む環状溝１３１と環状溝１３１から延びる長尺溝１３２とを有する。環状溝１３１の一部から外側にシール１２０を延長するための引出部１３３と、長尺溝１３２から外側にシール１２０を延長するための引出部１３４とが形成される。各引出部１３３，１３４に隣接してシール固定用の円形凹部１３５，１３６がそれぞれ設けられる。
【００４４】
図１０および図１１において、伝動ケース４０とアクチュエータカバー５８との会合部は、傾斜部つまり車体の前後方向に平行な面（前記面Ｆ，Ｆ１に平行な面）Ｆ３と面Ｆ３から車幅方向に立ち上がる傾斜面Ｆ４，Ｆ５からなる。図１１に仮想線で示したシール１２０は、面Ｆ３および面Ｆ４，Ｆ５に沿って配置され、中間部の前記突起１２４，１２５が凹部１３５，１３６にそれぞれ係止されると共に、端部のフック部１２８ａは、アクチュエータカバー５８の端面溝５８ａに引っ掛けられる。このフック部１２８ａは、伝動ケースカバー４０１によって押さえられて固定される。
【００４５】
このように、本実施形態の変速装置では、伝動ケース４０と伝動ケースカバー４０１とを、特に防塵目的で気密するシール手段とは別に、液密を維持できるように封止機能をより高めたシール１２０を設けた。したがって、ウォータポンプの壁面を構成する部材でもあるアクチュエータカバー５８と伝動ケース４０との間をウォータポンプに好適な封止状態にすることができる。
【図面の簡単な説明】
【００４６】
【図１】本発明の一実施形態に係るベルト式無段変速装置の前部断面図である。
【図２】本発明の一実施形態に係るベルト式無段変速装置の後部断面図である。
【図３】本発明の一実施形態に係る自動二輪車の側面図である。
【図４】伝動ケースとアクチュエータカバーの正面図である。
【図５】無段変速装置の前部に設けられるギヤユニットカバーの正面図である。
【図６】アクチュエータカバーと伝動ケースで形成されるウォータポンプの壁部を示す断面図である。
【図７】シールの平面図である。
【図８】シールの要部側面図である。
【図９】シールの端部拡大図である。
【図１０】アクチュエータカバーの背面図である。
【図１１】図１０のＢ−Ｂ断面図である。
【符号の説明】
【００４７】
４０…伝動ケース、  ４１…クランク軸、  ４５…駆動プーリ、  ５３…スライダ、  ５７…モータ、  ５８…アクチュエータカバー、  ６０…歯車装置、  ７３…従動プーリ、  １００…Ｖベルト、  １１２…回転センサ、  １１３…ウォータポンプ、  ４５１…駆動プーリ部分、  ４５２…可動プーリ部分
【図１】
2005106221.tif 000003
【図２】
2005106221.tif 000004
【図３】
2005106221.tif 000005
【図４】
2005106221.tif 000006
【図５】
2005106221.tif 000007
【図６】
2005106221.tif 000008
【図７】
2005106221.tif 000009
【図８】
2005106221.tif 000010
【図９】
2005106221.tif 000011
【図１０】
2005106221.tif 000012
【図１１】
2005106221.tif 000013